(57)【要約】【課題】非表示化したい条件などをユーザーが事前に設定する手間を必要とせず、より簡単に秘密情報の非表示化を図る。【解決手段】モニターされる側の画像形成装置１の表示部における画面遷移からの時間を計測し、設定時間Ｔ１が経過すると、表示画面ＰＡ等の画面データＤを外部装置２０へ送信するとともに、画像形成装置１の表示部に表示されている表示画面ＰＡ等に対してユーザーから秘密にしておきたい領域の指定が行われると、当該領域の画面データＤを加工して領域の非表示化を行い、加工後の画面データＤを外部装置２０へ送信する。【選択図】図４
2018031857.tif 000002
【特許請求の範囲】
【請求項１】
表示部と、
ユーザーからの操作入力を受け付ける操作受付部と、
前記表示部に表示される表示画面の複数の画面データを記憶する画面データ記憶部と、
前記画面データ記憶部に記憶されている前記複数の画面データを、表示画面として遷移させつつ前記表示部に表示させる表示制御部と、
前記操作受付部が前記表示画面に対する領域の指定を受け付けた場合に、前記領域内の前記画面データを加工して前記領域の非表示化を行う非表示化部と、
前記表示制御部が前記表示画面を他の表示画面に遷移させた時点からの時間を計測し、予め定められた設定時間が経過すると、前記画面データを外部端末へ送信し、前記非表示化部により前記加工が行われている場合には、加工後の前記画面データを前記外部端末へ送信させる送信制御部と、を備える表示制御装置。
【請求項２】
前記操作受付部により前記計測の停止要求が受け付けられた場合、前記送信制御部が前記時間の計測を停止する請求項１に記載の表示制御装置。
【請求項３】
前記表示制御部が前記表示部に表示させている表示画面を他の表示画面に遷移させたとき、前記送信制御部は、前記設定時間が経過していなくても、遷移前の前記表示画面の画面データを、前記外部端末へ送信させる請求項１又は請求項２に記載の表示制御装置。
【請求項４】
ユーザーからの操作入力を受け付ける操作受付部と、
表示部に表示される表示画面の複数の画面データを記憶する画面データ記憶部と、
前記画面データ記憶部に記憶されている前記複数の画面データを、表示画面として遷移させつつ前記表示部に表示させる表示制御部と、
前記操作受付部が前記表示画面に対する領域の指定を受け付けた場合に、前記領域内の前記画面データを加工して前記領域の非表示化を行う非表示化部と、
前記表示制御部が前記表示画面を他の表示画面に遷移させた時点からの時間を計測し、予め定められた設定時間が経過すると、前記画面データを外部端末へ送信し、前記非表示化部により前記加工が行われている場合には、加工後の前記画面データを前記外部端末へ送信させる送信制御部として、コンピューターを機能させるデータ送信プログラム。
【発明の詳細な説明】
【技術分野】
【０００１】
本発明は、表示制御装置及びデータ送信プログラムに関し、特に表示画面を外部端末と共有する際に、当該表示画面においてユーザーにより指定された領域を非表示にする技術に関する。
【背景技術】
【０００２】
コンピューターネットワークを介して、複数の端末で、画面の共有を図るシステムがある。例えば、モニターされる側の端末から、当該端末に表示されている表示画面の画面データを外部端末へ送信し、当該外部端末が送信されてきた当該画面データに基づいて上記表示画面を再現する技術が知られている。そして、このような技術を利用すれば、故障した電子機器に表示されている表示画面を、遠隔地にいるオペレーターの端末と共有できるため、より効率的なメンテナンスが可能になる等の効果がある。
【０００３】
ところが、電子機器に表示される表示画面には、個人情報など秘密にしておきたい情報が含まれる場合があることがある。そのため、秘密情報を共有しないようにする発明が提案されている。例えば、下記特許文献１には、非表示化したい条件をユーザーが事前に設定しておき、当該条件に該当したもの（秘密情報）を非表示化する技術が記載されている。
【先行技術文献】
【特許文献】
【０００４】
【特許文献１】特開２０１０−０５５１５３号公報
【発明の概要】
【発明が解決しようとする課題】
【０００５】
しかしながら、上記特許文献１に記載された発明では、非表示化したい条件をユーザーが事前に設定しなければならず、手間が掛かり煩わしい。
【０００６】
本発明は、上記の事情に鑑みなされたものであり、非表示化したい条件などをユーザーが事前に設定する手間を必要とせず、より簡単に秘密情報の非表示化を図ることを目的とする。
【課題を解決するための手段】
【０００７】
本発明の一局面に係る表示制御装置は、表示部と、ユーザーからの操作入力を受け付ける操作受付部と、前記表示部に表示される表示画面の複数の画面データを記憶する画面データ記憶部と、前記画面データ記憶部に記憶されている前記複数の画面データを、表示画面として遷移させつつ前記表示部に表示させる表示制御部と、前記操作受付部が前記表示画面に対する領域の指定を受け付けた場合に、前記領域内の前記画面データを加工して前記領域の非表示化を行う非表示化部と、前記表示制御部が前記表示画面を他の表示画面に遷移させた時点からの時間を計測し、予め定められた設定時間が経過すると、前記画面データを外部端末へ送信し、前記非表示化部により前記加工が行われている場合には、加工後の前記画面データを前記外部端末へ送信させる送信制御部と、を備えるものである。
【０００８】
また、本発明の一局面に係るデータ送信プログラムは、ユーザーからの操作入力を受け付ける操作受付部と、表示部に表示される表示画面の複数の画面データを記憶する画面データ記憶部と、前記画面データ記憶部に記憶されている前記複数の画面データを、表示画面として遷移させつつ前記表示部に表示させる表示制御部と、前記操作受付部が前記表示画面に対する領域の指定を受け付けた場合に、前記領域内の前記画面データを加工して前記領域の非表示化を行う非表示化部と、前記表示制御部が前記表示画面を他の表示画面に遷移させた時点からの時間を計測し、予め定められた設定時間が経過すると、前記画面データを外部端末へ送信し、前記非表示化部により前記加工が行われている場合には、加工後の前記画面データを前記外部端末へ送信させる送信制御部として、コンピューターを機能させるものである。
【発明の効果】
【０００９】
本発明によれば、表示画面に対してユーザーから例えば秘密にしたい領域が指定されると、指定された領域内の画面データが加工されて当該領域について非表示化の加工が行われ、当該非表示化の加工がされた後の画面データが外部端末へ送信される。また、表示部に表示された表示画面の画面データは、表示後すぐには外部端末へ送信されず、予め定められた設定時間が経過してから外部端末へ送信される。
【００１０】
これにより、本発明によれば、当該設定時間が経過するまでの間に、秘密にしておきたい領域をユーザーが指定することで、秘密情報を非表示化して、非表示化後の画面データを外部端末に送信することができる。従って、非表示化したい条件などをユーザーが事前に設定する手間を必要としないので、より簡単に秘密情報の非表示化を図ることができる。
【図面の簡単な説明】
【００１１】
【図１】本発明の第１実施形態に係る表示制御装置としての画像形成装置の主要内部構成を概略的に示した機能ブロック図である。
【図２】画像形成装置１による画面データの送信処理の第１実施形態を示すフローチャートである。
【図３】（Ａ）（Ｂ）（Ｃ）は、ユーザーにより指定された領域の画面データが加工される流れを説明するための説明図である。
【図４】画像形成装置における画面遷移の流れと外部装置における画面遷移の流れを説明するための説明図である。
【図５】画像形成装置１による画面データの送信処理の第２実施形態を示すフローチャートである。
【図６】画像形成装置における画面遷移の流れと外部装置における画面遷移の流れを説明するための説明図である。
【発明を実施するための形態】
【００１２】
以下、本発明に係る表示制御装置及びデータ送信プログラムの実施の形態を図面に基づいて説明する。図１は、本発明の第１実施形態に係る表示制御装置としての画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、及びネットワークインターフェイス部９１を含んで構成されている。
【００１３】
原稿給送部６は、読取対象の原稿を原稿読取部５へ給送する。原稿読取部５は、制御ユニット１０を構成する制御部１００による制御の下、光照射部を使って原稿を照射し、その反射光を受光することによって、原稿から画像を読み取る。原稿読取部５による当該原稿読取で得られた画像データは画像メモリー３２に記憶される。
【００１４】
画像形成部１２は、印刷すべき画像のトナー像を用紙（記録媒体）上に形成する。画像メモリー３２は、原稿読取部５による読み取りで得られた原稿の画像データを一時的に記憶したり、画像形成部１２のプリント対象となるデータを一時的に保存したりするための領域である。
【００１５】
ＨＤＤ９２は、原稿読取部５によって読み取られた原稿画像等を記憶する大容量の記憶装置である。定着部１３は、用紙上のトナー像を、熱圧着により用紙に定着させる。給紙部１４は、給紙カセット（図略）を備え、給紙カセットに収容された用紙をピックアップして搬送する。
【００１６】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１７】
ネットワークインターフェイス部９１は、ローカルエリア内、又はインターネット上のパーソナルコンピューター（パソコン）等の外部装置２０と種々のデータの送受信を行うものである。
【００１８】
制御ユニット１０は、プロセッサー、ＲＡＭ（Random Access Memory）、ＲＯＭ（Read Only Memory）、及び専用のハードウェア回路を含んで構成される。プロセッサーは、例えば、ＣＰＵ（Central Processing Unit）、ＡＳＩＣ、ＭＰＵ等である。制御ユニット１０は、画像形成装置１の全体的な動作制御を司る制御部１００と、操作受付部１０１と、表示制御部１０３と、送信制御部１０４と、非表示化部１０５と、画面データ記憶部１０６と、を備えている。
【００１９】
制御ユニット１０は、ＨＤＤ９２にインストールされているデータ送信プログラムに従った動作により、制御部１００、操作受付部１０１、表示制御部１０３、送信制御部１０４、非表示化部１０５、及び画面データ記憶部１０６として機能するものである。但し、制御部１００等は、制御ユニット１０によるデータ送信プログラムに従った動作によらず、それぞれハードウェア回路により構成することも可能である。以下、特に触れない限り、各実施形態について同様である。
【００２０】
制御部１００は、原稿給送部６、原稿読取部５、画像形成部１２、画像メモリー３２、ＨＤＤ９２、定着部１３、給紙部１４、操作部４７、ファクシミリ通信部７１、及びネットワークインターフェイス部９１と接続され、これら各部の駆動制御を行う。
【００２１】
操作受付部１０１は、操作部４７から出力される検知信号に基づき、ユーザーにより入力されたユーザー操作を特定する。そして、操作受付部１０１は、特定したユーザー操作を受け付け、当該ユーザー操作を示す制御信号を制御部１００などに出力する。
【００２２】
表示制御部１０３は、表示部４７３による表示動作を制御する。表示制御部１０３は、画面データ記憶部１０６に記憶されている、表示部４７３への表示用の表示画面Ｐの画面データＤを、当該画面データとともに記憶されている表示順に従って、表示部４７３に表示させる。
【００２３】
送信制御部１０４は、表示制御部１０３が表示部４７３に表示させている表示画面Ｐを他の表示画面Ｐに遷移させた時点からの時間を、例えば制御ユニット１０が内蔵するタイマーにより計測する。そして、送信制御部１０４は、予め定められた設定時間Ｔ１が経過したときに、画面データ記憶部１０６に記憶されている画面データＤであって、表示部４７３に表示中の表示画面Ｐを示す画面データＤを、ネットワークインターフェイス部９１を介して外部装置（外部端末）２０へ送信する。
【００２４】
更に、送信制御部１０４は、予め定められた設定時間Ｔ１が経過していなくても、表示部４７３に表示中の表示画面Ｐが表示制御部１０３により他の表示画面Ｐに遷移されたときは、遷移前の表示画面Ｐを示す画面データＤを、ネットワークインターフェイス部９１を介して外部装置（外部端末）２０へ送信する。
【００２５】
非表示化部１０５は、表示部４７３に表示されている表示画面Ｐにおける領域Ｅの指定を操作受付部１０１が受け付けた場合に、領域Ｅ内の画面データＤを、例えば加工して領域Ｅの非表示化処理を行う。操作部４７は、例えば表示部４７３に備えられたタッチパネル機能により、ユーザーが表示画面にタッチした２点の座標位置を取得して、当該２点を結ぶ直線を対角線とする矩形領域を非表示化の加工対象とする上記領域Ｅとして受け付ける。操作部４７は、当該矩形により特定される表示画面上の領域を示す制御信号を操作受付部１０１に出力する。これにより、操作受付部１０１は、ユーザーにより指定された、非表示化加工の対象とする領域Ｅの指定を受け付ける。
【００２６】
非表示化部１０５は、画面データを、例えば予め定められた白データ又は黒データを用いてマスキング処理することで、上記非表示化処理を行う。
【００２７】
画面データ記憶部１０６は、制御ユニット１０に内蔵されるメモリー等を用いて、表示部４７３に表示させる複数の表示画面を示す画面データを、これら表示画面の表示順と共に記憶する。また、画面データ記憶部１０６は、（１）表示部４７３に表示中の表示画面Ｐを示す画面データＤと、（２）表示部４７３に表示中の表示画面Ｐが表示制御部１０３により他の表示画面Ｐ１に遷移されたときには、遷移前の表示画面Ｐを示す画面データＤと、遷移後の表示画面Ｐ１を示す画面データＤ１の両方を記憶する。
【００２８】
次に、画像形成装置１による画面データの送信処理について説明する。図２は、画像形成装置１による画面データの送信処理の第１実施形態を示すフローチャートである。なお、この処理は、例えば、操作受付部１０１が、操作部４７を介して、外部装置２０（例えば、メンテナンス会社のパーソナルコンピューター）との間で表示画面Ｐを共有するメンテナンスモードへの移行要求を受け付け、制御部１００が、画像形成装置１の動作モードを上記メンテナンスモードへ移行させている状態のときに行われる。
【００２９】
メンテナンスモード時に、表示制御部１０３が、画像形成装置１の動作に応じて、画面データ記憶部１０６に記憶されている表示用の表示画面Ｐを表示部４７３に表示させているものとする。この状態で、表示制御部１０３が、表示部４７３の表示画面を他の表示画面Ｐ１に遷移させると、送信制御部１０４が、画面データ記憶部１０６に、遷移前の表示画面Ｐを示す画面データＤと、遷移後の表示画面Ｐ１を示す画面データＤ１の両方を記憶させておき（Ｓ１）、タイマーＴをリセットして、タイマーＴにより当該画面遷移時点からの時間計測を開始させる（Ｓ２）。
【００３０】
続いて、送信制御部１０４は、タイマーＴが予め定められた設定時間Ｔ１（例えば、１０秒）を経過したか否かを判断する（Ｓ３）。ここで、送信制御部１０４によりタイマーＴが設定時間Ｔ１を経過していないと判断されている間（Ｓ３でＮＯ）、Ｓ４以降の処理が行われる。
【００３１】
Ｓ４では、操作受付部１０１は、表示部４７３に表示されている表示画面Ｐにおいて非表示加工の対象とする領域Ｅの指定がユーザーからなされたか否かを判断する（Ｓ４）。ユーザーから表示画面Ｐに対する領域Ｅの指定を受け付ける処理は、例えば、表示部４７３の表示画面にユーザーが指で触れて、表示画面Ｐ上でのスライド操作により円や四角で囲むと、当該スライド操作による軌跡が、表示部４７３に備えられるタッチパネル機能により検出され、当該検出された軌跡により囲まれる領域が、非表示加工の対象とする領域Ｅとして、操作受付部１０１に受け付けられる、のようにして行われる。
【００３２】
また、設定時間Ｔ１については、ユーザーが任意に設定可能とされている。例えば、表示制御部１０３が、設定時間Ｔ１の入力画面を表示部４７３に表示し、操作受付部１０１が、ユーザーによる操作部４７の操作、例えばタッチパネル機能により入力画面を通じて入力された情報を取得すると、送信制御部１０４が、操作受付部１０１が取得した情報に基づいて設定時間Ｔ１を保持する。
【００３３】
操作受付部１０１が、表示画面Ｐに対する領域Ｅの指定を受け付けた場合（Ｓ４でＹＥＳ）、非表示化部１０５は、この時点で表示部４７３に表示されている表示画面Ｐの画面データＤにおける、上記指定された領域Ｅに対応する領域（以下、この対応領域も領域Ｅという）を特定する（Ｓ５）。
【００３４】
非表示化部１０５は、更に、特定した領域Ｅ内の画面データＤを加工して領域Ｅの非表示化を行い（Ｓ６）、当該非表示加工による加工後の画面データＤ’を、画面データＤに代えて画面データ記憶部１０６に記憶させる（Ｓ７）。非表示化部１０５による非表示化加工としては、例えば、予め定められた白データ又は黒データからなるベタ画像等への置き換え処理によるマスキング処理や、モザイク処理などが挙げられる。
【００３５】
例えば、図３（Ａ）に示す表示部４７３の表示画面Ｐ（「アドレス帳」を示す）において、図３（Ｂ）に示すようにユーザーによって領域Ｅが指定されると、図３（Ｃ）に示すように、領域Ｅの非表示化が行われた表示画面Ｐ´の画面データＤ´が生成される。
【００３６】
一方、操作受付部１０１が、表示部４７３に表示されている表示画面Ｐに対する領域Ｅの指定を受け付けていない場合（Ｓ４でＮＯ）、Ｓ５〜Ｓ７の処理をスキップする。
【００３７】
続いて、操作受付部１０１が、タイマーＴの一時停止要求がユーザーからなされたか否かを判断し（Ｓ８）、タイマーＴの一時停止要求を受け付けた場合は（Ｓ８でＹＥＳ）、送信制御部１０４が、タイマーＴを停止させる（Ｓ９）。タイマーＴの一時停止要求を入力する操作としては、例えば、表示部４７３のタッチパネルへの長押しなどが挙げられる。一方、操作受付部１０１が、タイマーＴの一時停止要求を受け付けていない場合（Ｓ８でＮＯ）、Ｓ９の処理は行わない。
【００３８】
続いて、操作受付部１０１が、タイマーＴの停止解除要求がユーザーからなされたか否かを判断し（Ｓ１０）、タイマーＴの停止解除要求を受け付けた場合は（Ｓ１０でＹＥＳ）、送信制御部１０４が、タイマーＴを再開させ（Ｓ１１）、その後、Ｓ３へ戻る。タイマーＴの停止解除要求を入力する操作としては、例えば、タイマーＴが停止している場合での表示部４７３のタッチパネルへの長押しなどが挙げられる。一方、操作受付部１０１が、タイマーＴの停止解除要求を受け付けていない場合（Ｓ１０でＮＯ）、Ｓ１０の処理を行わず、Ｓ３に戻る。
【００３９】
Ｓ３において、送信制御部１０４が、タイマーＴが設定時間Ｔ１を経過していると判断した場合（Ｓ３でＹＥＳ）、送信制御部１０４は、画面データ記憶部１０６に記憶されている表示画面Ｐ’に対応する画面データＤ’を、ネットワークインターフェイス部９１を介して外部装置２０へ送信する（Ｓ１２）。なお、送信制御部１０４が、設定時間Ｔ１が経過したと判断したときに（Ｓ３でＹＥＳ）、表示画面Ｐに対して非表示化加工が行われていない場合は、非表示化処理がされていない表示画面Ｐの画面データＤを送信する。
【００４０】
図４は、画像形成装置１における画面遷移の流れと、外部装置２０における画面遷移の流れを説明するための説明図である。画像形成装置１の表示部４７３で画面遷移が行われて「Ａ」を示す表示画面ＰＡが表示され、それから設定時間Ｔ１が経過すると、表示画面ＰＡの画面データＤが外部装置２０へ送信され、そして外部装置２０で「Ａ」を示す表示画面ＰＡが表示される。
【００４１】
続いて、画像形成装置１の表示部４７３で画面が更に遷移されて「Ｂ」を示す表示画面ＰＢが表示されたとき、それから設定時間Ｔ１が経過するまでに、表示画面ＰＢに対して領域Ｅが指定されると、表示画面ＰＢの画面データＤが加工され、設定時間Ｔ１が経過すると、加工後の画面データＤが外部装置２０へ送信され、そして外部装置２０で「Ｂ´」を示す表示画面ＰＢ´が表示される。
【００４２】
更に、画像形成装置１の表示部４７３で画面が遷移されて「Ｃ」を示す表示画面ＰＣが表示され、それから設定時間Ｔ１が経過するまでに、タイマーＴの一時停止が要求され、タイマーＴが一時停止すると、設定時間Ｔ１に停止時間ＳＴ１が加算される。当該加算した時間が経過した後、表示画面ＰＣの画面データＤが外部装置２０へ送信され、そして外部装置２０で「Ｃ」を示す表示画面ＰＣが表示される。つまり、当該加算した時間が経過するまでは、外部装置２０では「Ｂ´」を示す表示画面ＰＢ´が表示され続ける。
【００４３】
また、画像形成装置１の表示部４７３で画面が遷移されて「Ｄ」を示す表示画面ＰＤが表示され、それから設定時間Ｔ１が経過するまでに、タイマーＴの一時停止が要求され、さらに、設定時間Ｔ１に停止時間ＳＴ２を加算した時間が経過するまでに、表示画面ＰＤに対して領域Ｅが指定されると、表示画面ＰＤの画面データＤが非表示加工され、設定時間Ｔ１に停止時間ＳＴ２を加算した時間が経過した後、加工後の画面データＤが外部装置２０へ送信され、そして外部装置２０で「Ｄ´」を示す表示画面ＰＤが表示される。
【００４４】
上記第１実施形態によれば、表示画面Ｐに対してユーザーから（秘密にしたい）領域Ｅが指定されると、指定された領域Ｅ内の画面データＤが加工されて当該領域Ｅの非表示化が行われ、加工後の画面データＤが外部装置２０へ送信される。また、表示部４７３に表示された表示画面Ｐの画面データＤは、表示後すぐには外部装置２０へ送信されず、予め定められた設定時間Ｔ１が経過してから外部装置２０へ送信される。
【００４５】
本実施形態によれば、設定時間Ｔ１が経過するまでの間に、秘密にしておきたい領域Ｅをユーザーが指定することで、秘密情報を非表示化して、非表示化後の画面データを外部端末に送信することができるため、非表示化したい条件などをユーザーが事前に設定する手間を必要としないので、より簡単に秘密情報の非表示化を図ることができる。
【００４６】
次に、画像形成装置１による画面データの送信処理の第２実施形態について説明する。図５は、画像形成装置１による画面データの送信処理の第２実施形態を示すフローチャートである。なお、第１実施形態と同様の処理については説明を省略する。
【００４７】
第２実施形態では、表示部４７３における新たな画面遷移が行われた場合、設定時間Ｔ１の経過を待たずに、画面データＤを外部装置２０へ送信するという点で、第１実施形態とは相違する。
【００４８】
第１実施形態と同様にＳ１０又はＳ１１までの処理が行われた後、Ｓ２１において、操作受付部１０１は、画面遷移の新たな要求がユーザーからなされたか否かを判断する。ここで、操作受付部１０１が、ユーザーによる操作部４７の操作に基づいて、画面遷移の要求を受け付けた場合（Ｓ２１でＹＥＳ）、送信制御部１０４は、画面データ記憶部１０６に記憶させている、この時点で表示部４７３に表示されている表示画面Ｐに対応する画面データ（すなわち、遷移前の表示画面の画面データを指す。但し、遷移前の表示画面の画面データについて、領域Ｅの非表示化が行われている場合は、非表示加工後の画面データＤ’）を、ネットワークインターフェイス部９１を介して外部装置２０へ送信する（Ｓ２２）。そして、表示制御部１０３は、表示部４７３の表示画面を、次の表示画面に遷移させる（Ｓ２３）。なお、Ｓ２２とＳ２３の処理はどちらが先に行われてもよい。
【００４９】
ユーザーからの画面遷移の新たな要求は、この時点において非表示化加工のための領域指定を完了した、又は表示画面Ｐに対する領域指定の必要がない、のユーザーからの意思表示と認められるため、設定時間Ｔ１の経過を待たずに、画面データＤを外部装置２０へ送信する。
【００５０】
一方、操作受付部１０１が、画面遷移の新たな要求を受け付けていない場合（Ｓ２１でＮＯ）、そのままＳ３へ戻る。
【００５１】
図６は、画像形成装置１における画面遷移の流れと外部装置２０における画面遷移の流れを説明するための説明図である。画像形成装置１の表示部４７３で画面遷移が行われて「Ａ」を示す表示画面ＰＡが表示され、それから時間Ｔ１が経過すると、表示画面ＰＡの画面データＤが外部装置２０へ送信され、そして外部装置２０で「Ａ」を示す表示画面ＰＡが表示される。
画像形成装置１の表示部４７３で「Ａ」を示す表示画面ＰＡが遷移されて、新たな「Ｂ」を示す表示画面ＰＢが表示されたとき、この画面遷移時から設定時間Ｔ１が経過するまでに、表示画面ＰＢの画面データＤが非表示化加工されており、操作受付部１０１にユーザーからの画面遷移要求が受け付けられた場合、画面遷移時からの設定時間Ｔ１の経過を待たずに、表示画面ＰＢを非表示化加工した画面データＤ’が外部装置２０へ送信され、そして外部装置２０で「Ｂ’」を示す表示画面ＰＢ’が表示される。画像形成装置１の表示部４７３には、「Ｃ」を示す表示画面ＰＣが表示される。
【００５２】
そして、画像形成装置１の表示部４７３で新たな「Ｃ」を示す表示画面ＰＣへの画面遷移が行われた後、この画面遷移時から設定時間Ｔ１が経過するまでに、操作受付部１０１にユーザーからの画面遷移要求が受け付けられた場合は、画面遷移時からの設定時間Ｔ１の経過を待たずに、表示画面ＰＣの画面データＤが外部装置２０へ送信され、そして外部装置２０で「Ｃ」を示す表示画面ＰＣが表示される。
【００５３】
同様に、「Ｄ」を示す表示画面ＰＤの画面データＤについても、設定時間Ｔ１の経過が経過していなくても、ユーザーによる画面遷移要求に従って次の表示画面に遷移した場合には、遷移前の「Ｄ」を示す表示画面ＰＤの画面データＤが外部装置２０へ送信される。
また、最後に表示される最終頁として「Ｅ」を示す表示画面ＰＥの画面データＤについては、設定時間Ｔ１が経過してから、外部装置２０へ送信される。
【００５４】
当該第２実施形態によれば、画面遷移があれば、設定時間Ｔ１の経過を待たずに、画像形成装置１から外部装置２０に遷移前の表示画面の画面データＤを送信するので、画像形成装置１で表示される表示画面と外部装置２０で表示される表示画面が異なってしまう事態を極力回避することができる。例えば、上記第１実施形態では、画面の遷移から設定時間Ｔ１を経過するまで、画像形成装置１から外部装置２０へ画面データＤ又はＤ’が送信されないため、画像形成装置１における画面遷移が短い間隔で行われると、画像形成装置１の表示部４７３で表示される表示画面と外部装置２０で表示される表示画面とが異なる事態も生じ得るが、第２実施形態によれば、このような事態を極力回避することができる。
【００５５】
なお、本発明は上記実施の形態の構成に限られず種々の変形が可能である。また、上記実施形態では、本発明に係る表示制御装置の一実施形態として複合機を用いて説明しているが、これは一例に過ぎず、他の電子機器、例えば、コピー機、ファクシミリ機、プリンター等の他の画像形成装置でもよいし、更には、パーソナルコンピューターやモバイル機器等であってもよい。
【００５６】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００５７】
１          画像形成装置
１０１      操作受付部
１０３      表示制御部
１０４      送信制御部
１０５      非表示化部
１０６      画面データ記憶部
【図１】
2018031857.tif 000003
【図２】
2018031857.tif 000004
【図３】
2018031857.tif 000005
【図４】
2018031857.tif 000006
【図５】
2018031857.tif 000007
【図６】
2018031857.tif 000008